(57)【要約】【課題】耐久性の優れる接触子を収容したジャックを実現する。【解決手段】ジャック２０は、プラグ挿入孔３５を有するジャック本体３０と、このジャック本体３０に取り付けられ、プラグ本体１０の導電部に対して電気的に接触するための複数の接触子４１−１〜４１−３と、を備えている。各接触子４１−１〜４１−３は、線材の端部に位置し、プラグ挿入孔３５の壁面に固定された第１固定部と、この第１固定部から所定距離隔ててプラグ挿入孔３５の壁面に固定された第２固定部と、前記第１固定部及び第２固定部間に形成された曲部と、を有している。前記曲部は、プラグ挿入孔３５の壁面から突出し、プラグ本体１０の導電部による接触圧により、前記第１固定部及び第２固定部を回転中心とした捻りモーメントを受けて弾性変形する。【選択図】図１
2015187930.tif 000002
【特許請求の範囲】
【請求項１】
プラグ本体を挿脱するためのプラグ挿入孔を有する絶縁性のジャック本体と、
前記ジャック本体に取り付けられ、前記プラグ本体の導電部に対して電気的に接触するためのばね性を有する線材からなる１つ又は複数の接触子と、
を備え、
前記接触子は、
前記線材の端部に位置し、前記プラグ挿入孔の壁面に固定された第１固定部と、
前記線材の前記第１固定部から所定距離隔てて前記プラグ挿入孔の壁面に固定された第２固定部と、
前記線材における前記第１固定部と前記第２固定部との間が曲げられて前記プラグ挿入孔の壁面から突出し、前記導電部による接触圧により、前記第１固定部及び前記第２固定部を回転中心とした捻りモーメントを受けて弾性変形する曲部と、
を有することを特徴とするジャック。
【請求項２】
前記曲部は、
略Ｌ字状又は湾曲状に曲げられていることを特徴とする請求項１記載のジャック。
【請求項３】
前記第１固定部及び前記第２固定部は、
前記プラグ挿入孔の壁面に形成された開口部内に固定されていることを特徴とする請求項１又は２項記載のジャック。
【請求項４】
前記第２固定部には、
前記ジャック本体の外周面に形成された収容溝内を通して外部へ引き出された端子部が、延設されていることを特徴とする請求項１〜３のいずれか１項記載のジャック。
【請求項５】
前記端子部を含む前記接触子は、
ステンレス鋼線及びピアノ線を含むばね鋼線により形成されていることを特徴とする請求項４記載のジャック。
【請求項６】
前記ジャック本体は、合掌状態に分割された分割構造をなし、
前記分割構造の外周には、前記収容溝の一部又は全部を覆って前記分割構造を結合する固定部材が嵌合されていることを特徴とする請求項４又は５記載のジャック。
【請求項７】
前記プラグ本体は、略柱状をなし、
前記プラグ挿入孔は、前記プラグ本体に対応して略筒状をなすことを特徴とする請求項１〜６のいずれか１項記載のジャック。
【発明の詳細な説明】
【技術分野】
【０００１】
本発明は、単頭プラグ等のプラグを受け入れるジャックに関するものである。
【背景技術】
【０００２】
従来、配線コードの先端に取り付けられて使用する単頭プラグ等のプラグを受け入れるジャックは、特許文献１、２等に記載されているように、このジャックのプラグ挿入孔から挿入されるプラグ本体の導電部に対して、電気的に接触するためのコンタクトとしての複数の接触子を有している。
【０００３】
特許文献１には、接触子を板ばねで形成したジャックが記載されている。板ばねからなる接触子は、この一端部が、ジャック本体に固定され、他端部が、自由端となっている。接触子は、一端部を支持点にして他端部が一定方向に弾性変形することにより、挿入されたプラグ本体に対して電気的に接触するようになっている。
【０００４】
又、特許文献２には、接触子を線材により形成したジャックが記載されている。線材からなる接触子は、この一端部が、ジャック本体に固定され、他端部が、自由端となっている。接触子は、一端部を支持点にして他端部が一定方向に弾性変形することにより、挿入されたプラグ本体に対して電気的に接触するようになっている。
【先行技術文献】
【特許文献】
【０００５】
【特許文献１】特開２００３−２１７７６３号公報
【特許文献２】特開２００１−１７６６２５号公報
【発明の概要】
【発明が解決しようとする課題】
【０００６】
しかしながら、特許文献１、２に記載された従来のジャックでは、次の（１）、（２）のような課題があった。
【０００７】
（１）  特許文献１に記載されたジャックの場合、板ばねからなる接触子は、プラグ本体の挿脱に伴い、固定された一端部を支持点にして、自由端である他端部が一定方向に弾性変形する。この弾性変形の際に、接触子の一端部に曲げ応力が集中するので、プラグ本体の挿脱が繰り返されると、接触子の金属疲労により、弾力性が低下して劣化する。特に、接触子を小型化した場合には、繰り返し負荷にも弱く、強度が弱い等、耐久性に劣る。
【０００８】
（２）  特許文献２に記載されたジャックの場合、線材からなる接触子は、プラグ本体の挿脱に伴い、固定された一端部を支持点にして、自由端である他端部が一定方向に捻られて弾性変形する。この弾性変形の際に、接触子の一端部に捻り応力が集中するので、特許文献１のジャックと同様に、接触子を小型化した場合には、プラグ本体の挿脱が繰り返されることにより、弾力性が低下して劣化し、耐久性に劣る。
【課題を解決するための手段】
【０００９】
本発明のジャックは、プラグ本体を挿脱するためのプラグ挿入孔を有する絶縁性のジャック本体と、前記ジャック本体に取り付けられ、前記プラグ本体の導電部に対して電気的に接触するためのばね性を有する線材からなる１つ又は複数の接触子と、を備えている。
【００１０】
そして、前記接触子は、前記線材の端部に位置し、前記プラグ挿入孔の壁面に固定された第１固定部と、前記線材の前記第１固定部から所定距離隔てて前記プラグ挿入孔の壁面に固定された第２固定部と、前記線材における前記第１固定部と前記第２固定部との間が曲げられて前記プラグ挿入孔の壁面から突出し、前記導電部による接触圧により、前記第１固定部及び前記第２固定部を回転中心とした捻りモーメントを受けて弾性変形する曲部と、を有することを特徴とする。
【発明の効果】
【００１１】
本発明によれば、接触子の第１固定部と第２固定部とを固定して、曲部付近において捻りモーメントを受けて弾性変形をする構成になっている。そのため、簡単な構造であるので小型化が容易であり、且つ、耐久性の優れる接触子と、これを収容したジャックを実現できる。
【図面の簡単な説明】
【００１２】
【図１】図１は本発明の実施例１におけるジャック及びプラグの結合状態を示す概略の構成図である。
【図２】図２は図１中のジャック本体の外観を示す側面図である。
【図３】図３は図１中のジャックの内部構成を示す斜視図である。
【図４】図４は図３中のセパレータを示す斜視図である。
【図５】図５は図３中の接触片を示す斜視図である。
【図６】図６は図３中の接触子を示す斜視図である。
【図７】図７は図６の接触子の作用を示す斜視図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の構成）
図１（ａ）、（ｂ）は、本発明の実施例１におけるジャック及びプラグの結合状態を示す概略の構成図であり、同図（ａ）はその外観の斜視図、及び、同図（ｂ）は同図（ａ）の断面図である。図２は、図１中のジャック本体の外観を示す側面図、図３は、図１中のジャックの内部構成を示す斜視図、図４は、図３中のセパレータを示す斜視図、図５は、図３中の接触片の斜視図、及び、図６は、図３中の接触子を示す斜視図である。
【００１５】
図１（ａ）、（ｂ）に示すように、図示しない配線コードの先端に取り付けられて使用するプラグ１としての例えば４極用単頭プラグは、ジャック２０に挿入することにより、これらのプラグ１とジャック２０とが電気的に接続される。
【００１６】
プラグ１は、略柱状（例えば、略円柱状）のプラグ本体１０を有し、このプラグ本体１０の端部に、図示しない摘みが設けられる。プラグ本体１０は、この先端から摘みの方向へ配設されたチップ１１、絶縁カラー１２、リング１３、絶縁カラー１４、リング１５、絶縁カラー１６、及びスリーブ１７を有している。導電部を構成するチップ１１、リング１３，１５及びスリーブ１７は、それぞれ絶縁カラー１２，１４，１６によって電気的に絶縁されている。チップ１１は、先端側に配置された頭部１１ａを有し、この頭部１１ａの後端側に、この頭部１１ａよりも外径の大きな鍔部１１ｂが形成されている。
【００１７】
ジャック２０は、略筒状（例えば、略円筒状）をなす絶縁性のジャック本体３０を有している。ジャック本体３０は、合掌状態に分割（例えば、２分割）された２分割構造をしており、合成樹脂等で形成されている。ジャック本体３０の外周には、この後端側から略中央に亘って第１外周面３１が延在し、更に、この第１外周面３１から先端側に亘り、この第１外周面３１よりも外径の小さな第２外周面３２が延在している。
【００１８】
図１、図２及び図３に示すように、第１外周面３１から第２外周面３２にかけて、所定間隔隔てて、複数（例えば、３つ）の接触子収容用の収容溝３３−１，３３−２，３３−３が、ジャック本体３０の長手方向に直線状に形成されている。各収容溝３３−１〜３３−３の第２外周面３２側には、ジャック本体３０内のプラグ挿入孔３５へ通じる開口部３３−１ａ，３３−２ａ，３３−３ａがそれぞれ形成されている。第２外周面３２には、筒状（例えば、円筒状）をなす絶縁性の固定部材３４が嵌合されている。固定部材３４は、３つの収容溝３３−１〜３３−３を覆うと共に、２分割構造のジャック本体３０を結合する機能を有し、合成樹脂等で形成されている。
【００１９】
ジャック本体３０内には、この先端部から後端部の方向へ、プラグ本体１０を挿入するための断面略円形のプラグ挿入孔３５が形成されている。プラグ挿入孔３５の壁面には、３つの案内溝３３−１〜３３−３にそれぞれ連通する３つの開口部３３−１ａ〜３３−３ａが形成され、更に、中央部から後端部側寄りに、円環状の突起部３６が突設されている。突起部３６は、プラグ挿入孔３５に挿入されるプラグ本体１０の鍔部１１ｂを係止する機能を有している。
【００２０】
プラグ挿入孔３５の後端部側は、閉塞部３７によって閉塞されている。閉塞部３７には、接触片挿入用の取り付け孔３７ａが形成されている。閉塞部３７の後端面側には、断面円形の嵌入凹部３８が形成されている。嵌入凹部３８には、円板状をなす絶縁性のセパレータ３９が嵌入されている。セパレータ３９には、図４に示すように、閉塞部３７側の取り付け孔３７ａと対向する位置に配置された長方形の取り付け孔３９ａと、この取り付け孔３９ａに対して所定距離離れた位置に配置された３つの円形の取り付け孔３９ｂ，３９ｃ、３９ｄと、が形成されている。
【００２１】
図１、図３及び図５に示すように、セパレータ３９の取り付け孔３９ａには、閉塞部３７側の取り付け孔３７ａを通して、略長方形板状の導電性の接触片４０が挿着されている。接触片４０は、取り付け孔３９ａ，３７ａを貫通してプラグ挿入孔３５内へ突設され、プラグ本体１０側におけるチップ１１の頭部１１ａに対して電気的に接触するものである。接触片４０には、取り付け孔３７ａ，３９ａを通して外部へ引き出された端子部４０ａが延設されている。
【００２２】
図１及び図３に示すように、セパレータ３９の他の取り付け孔３９ｂ，３９ｃ，３９ｄには、ジャック本体３０側の収容溝３３−１〜３３−３内を通して、ばね性を有する導電性の線材からなる複数（例えば、３つ）の接触子４１−１，４１−２，４１−３が挿着されている。３つの接触子４１−１〜４１−３は、それぞれ、３つの取り付け孔３９ｂ〜３９ｄを貫通し、ジャック本体３０側の３つの収容溝３３−１〜３３−３及び３つの開口部３３−１ａ〜３３−３ａ内を通して、３つの先端部側がプラグ挿入孔３５内へ突設され、プラグ本体１０側のリング１５，１３及びスリーブ１７に対して電気的に接触するものである。３つの接触子４１−１〜４１−３の後端部側には、それぞれ、３つの取り付け孔３９ｂ〜３９ｄを通して外部へ引き出された３つの端子部４１−１ｂ，４１−２ｄ，４１−３ｄが延設されている。端子部４１−１ｄ〜４１−３ｄを含む接触子４１−１〜４１−３は、ステンレス鋼線、ピアノ線等の種々のばね鋼線によってそれぞれ形成されている
【００２３】
図３及び図６に示すように、３つの接触子４１−１〜４１−３の内の接触子４１−１は、線材の端部に位置する第１固定部４１−１ａと、この第１固定部４１−１ａに延設された曲部４１−１ｂと、この曲部４１−１ｂに延設された第２固定部４１−１ｃと、を有している。第２固定部４１−１ｃには、ジャック本体３０側の収容溝３３−１及びセパレータ３９の取り付け孔３９ｂ内を通して外部へ引き出された端子部４１−１ｄが延設されている。
【００２４】
第１固定部４１−１ａは、線材の端部に位置し、プラグ挿入孔３５の壁面（例えば、壁面の開口部３３−１ａ内）に固定されている。第２固定部４１−１ｃは、第１固定部４１−１ａから所定距離隔てて配置され、プラグ挿入孔３５の壁面（例えば、壁面の開口部３３−１ａ内）に固定されている。曲部４１−１ｂは、第１固定部４１−１ａと第２固定部４１−１ｃとの間に位置し、線材が例えば略Ｌ字状に曲げられて形成されており、プラグ挿入孔３５の壁面（例えば、壁面の開口部３３−１ａ）から突出している。
【００２５】
曲部４１−１ｂ付近は、プラグ挿入孔３５から挿入されるプラグ本体１０側のリング１５による接触圧により、第１固定部４１−１ａ及び第２固定部４１−１ｃを回転中心とした捻りモーメントを受けて弾性変形するようになっている。第２固定部４１−１ｃと端子部４１−１ｄとの間は、収容溝３３−１及びセパレータ３９の取り付け孔３９ｂの配置及び形状に対応して、複数箇所が折り曲げられている。
【００２６】
接触子４１−２は、接触子４１−１と同様に、線材の端部に位置する第１固定部４１−２ａと、この第１固定部４１−２ａに延設された曲部４１−２ｂと、この曲部４１−２ｂに延設された第２固定部４１−２ｃと、を有している。第２固定部４１−２ｃには、ジャック本体３０側の収容溝３３−２及びセパレータ３９の取り付け孔３９ｃ内を通して外部へ引き出された端子部４１−２ｄが延設されている。
【００２７】
第１固定部４１−２ａは、線材の端部に位置し、プラグ挿入孔３５の壁面（例えば、壁面の開口部３３−２ａ内）に固定されている。第２固定部４１−２ｃは、第１固定部４１−２ａから所定距離隔てて配置され、プラグ挿入孔３５の壁面（例えば、壁面の開口部３３−２ａ内）に固定されている。曲部４１−２ｂは、第１固定部４１−２ａと第２固定部４１−２ｃとの間に位置し、線材が例えば略Ｌ字状に曲げられて形成されており、プラグ挿入孔３５の壁面（例えば、壁面の開口部３３−２ａ）から突出している。
【００２８】
曲部４１−２ｂ付近は、挿入されるプラグ本体１０側のリング１３による接触圧により、第１固定部４１−２ａ及び第２固定部４１−２ｃを回転中心とした捻りモーメントを受けて弾性変形するようになっている。第２固定部４１−２ｃと端子部４１−２ｄとの間は、収容溝３３−２及びセパレータ３９の取り付け孔３９ｃの配置及び形状に対応して、複数箇所が折り曲げられている。
【００２９】
更に、接触子４１−３は、接触子４１−１，４１−２と同様に、線材の端部に位置する第１固定部４１−３ａと、この第１固定部４１−３ａに延設された曲部４１−３ｂと、この曲部４１−３ｂに延設された第２固定部４１−３ｃと、を有している。第２固定部４１−３ｃには、ジャック本体３０側の収容溝３３−３及びセパレータ３９の取り付け孔３９ｄ内を通して外部へ引き出された端子部４１−３ｄが延設されている。
【００３０】
第１固定部４１−３ａは、線材の端部に位置し、プラグ挿入孔３５の壁面（例えば、壁面の開口部３３−３ａ内）に固定されている。第２固定部４１−３ｃは、第１固定部４１−３ａから所定距離隔てて配置され、プラグ挿入孔３５の壁面（例えば、壁面の開口部３３−３ａ内）に固定されている。曲部４１−３ｂは、第１固定部４１−３ａと第２固定部４１−３ｃとの間に位置し、線材が例えば略Ｌ字状に曲げられて形成されており、プラグ挿入孔３５の壁面（例えば、壁面の開口部３３−３ａ）から突出している。
【００３１】
曲部４１−３ｂ付近は、挿入されるプラグ本体１０側のスリーブ１７による接触圧により、第１固定部４１−３ａ及び第２固定部４１−３ｃを回転中心とした捻りモーメントを受けて弾性変形するようになっている。第２固定部４１−３ｃと端子部４１−３ｄとの間は、収容溝３３−３及びセパレータ３９の取り付け孔３９ｄの配置及び形状に対応して、複数箇所が折り曲げられている。
【００３２】
（実施例１のジャックの製造例）
図２及び図４〜図６に示すように、予め、ジャック本体３０、セパレータ３９、接触片４０及び接触子４１−１〜４１−３を作成しておく。
【００３３】
２分割構造のジャック本体３０を２つに分離する。接触片４０の端子部４０ａと、接触子４１−１〜４１−３の端子部４１−１ｄ〜４１−３ｄと、をセパレータ３９の取り付け孔３９ａ〜３９ｄにそれぞれ挿着する。端子部４０ａ，４１−１ｄ〜４１−３ｄが挿着されたセパレータ３９を、分離した一方のジャック本体側の嵌入凹部３８に嵌入して装着する。この際、接触子４１−１〜４１−３を、ジャック本体３０側の収容溝３３−１〜３３−３及び開口部３３−１ａ〜３３−３ａにそれぞれ挿着すると共に、接触片４０を、閉塞部３７の取り付け孔３７ａへ差し込んで装着する。
【００３４】
そして、他方のジャック本体側を一方のジャック本体側に合掌状態に接合した後、固定部材３４を、ジャック本体３０側の第２外周面３２に被せて装着すれば、２分割された２つのジャック本体側が結合され、ジャック２０の製造が完了する。
【００３５】
（実施例１のジャックの使用例）
図１において、使用者は、手でプラグ１の摘みを把持し、プラグ本体１０をジャック本体３０のプラグ挿入孔３５へ押し込む。すると、プラグ本体１０のチップ１１における鍔部１１ｂの先端面が、ジャック本体３０内の突起部３６に当接し、プラグ本体１０がジャック２０内に挿着される。
【００３６】
これにより、ジャック２０側の接触片４０とプラグ本体１０側のチップ１１とが接触すると共に、ジャック２０側の接触子４１−１〜４１−３とプラグ本体１０側のリング１５，１３及びスリーブ１７とがそれぞれ接触して、プラグ１とジャック２０とが電気的に接続される。
【００３７】
図７（ａ）、（ｂ）は、図６の接触子４１−１〜４１−３の作用を示す斜視図であり、同図（ａ）は接触子４１−１，４１−３とプラグ本体１０との接触箇所の要部を示す図、及び、同図（ｂ）は同図（ａ）を右から左方向へ見た接触箇所の要部を示す図である。
【００３８】
接触子４１−１，４１−３の第１固定部４１−１ａ，４１−３ａと第２固定部４１−１ｃ，４１−３ｃとは、ジャック本体３０側の開口部３３−１ａ，３３−３ａ内にそれぞれ固定されている。接触子４１−１，４１−３の曲部４１−１ｃ、４１−３ｃは、それぞれ、第１固定部４１−１ａ，４１−３ａと第２固定部４１−１ｃ，４１−３ｃと、を回転中心として弾性変形可能な構成になっている。
【００３９】
図７（ａ）、（ｂ）に示すように、プラグ本体１０を矢印の左方向Ｘへ圧入して行くと、このプラグ本体１０の外周面によって、接触子４１−１，４１−３の曲部４１−１ｂ、４１−３ｂ付近が、押圧されて行く。すると、接触子４１−１の曲部４１−１ｂ付近が、第１固定部４１−１ａ及び第２固定部４１−１ｃを回転中心にして、矢印の回動方向Ｙ１へ捻りモーメントを受けて広がるように弾性変形して行く。更に、接触子４１−３の曲部４１−３ｂ付近も、第１固定部４１−３ａ及び第２固定部４１−３ｃを回転中心にして、矢印の回動方向Ｙ２へ捻りモーメントを受けて広がるように弾性変形して行く。そのため、プラグ本体１０がプラグ挿入孔３５内の突起部３６により係止されると、接触子４１−１，４１−３の曲部４１−１ｂ，４１−３ｂ付近が、プラグ本体１０側のリング１５及びスリーブ１７にそれぞれ圧接されて電気的に接続される。
【００４０】
又、プラグ本体１０を矢印の右方向Ｘｎへ引き抜くと、接触子４１−１の曲部４１−１ｂ付近が、第１固定部４１−１ａ及び第２固定部４１−１ｃを回転中心にして、矢印の逆回動方向Ｙ１ｎへ狭まるような復元力によって原位置に戻る。更に、接触子４１−３の曲部４１−３ｂ付近も、第１固定部４１−３ａ及び第２固定部４１−３ｃを回転中心にして、矢印の逆回動方向Ｙ２ｎへ狭まるような復元力によって原位置に戻る。これにより、接触子４１−１，４１−３の曲部４１−１ｂ，４１−３ｂ付近と、プラグ本体１０側のリング１５及びスリーブ１７と、がそれぞれ電気的に遮断される。
【００４１】
他の接触子４１−２も、接触子４１−１，４１−３と同様に、第１固定部４１−２ａ及び第２固定部４１−２ｃを回転中心にして弾性変形し、プラグ本体１０側のリング１３との電気的な接続又は遮断が行われる。
【００４２】
このように、プラグ本体１０の挿脱に伴い、各接触子４１−１〜４１−３が、固定された各第１固定部４１−１ａ〜４１−３ａ及び各第２固定部４１−１ｃ〜４１−３ｃを回転中心にして、自由端である曲部４１−１ｂ〜４１−３ｂ付近が捻られて弾性変形する。この時受ける力は、各第１固定部４１−１ａ〜４１−３ａと各第２固定部４１−１ｃ〜４１−３ｃとの間の全体に掛かって応力が分散されるので、応力の集中に起因する金属疲労による接触子４１−１〜４１−３のばね性の劣化を抑制でき、耐久性に優れている。
【００４３】
（実施例１の効果）
本実施例１によれば、接触子４１−１〜４１−３の第１固定部４１−１ａ〜４１−３ａと第２固定部４１−１ｃ〜４１−３ｃとを固定して、曲部４１−１ｂ〜４１−３ｂ付近において捻りモーメントを受けて弾性変形をする構成になっている。そのため、簡単な構造であるので、小型化が容易であり、且つ、耐久性の優れる接触子４１−１〜４１−３と、これを収容したジャック２０を実現できる。
【００４４】
（変形例）
本発明は、上記実施例１に限定されず、種々の利用形態や変形が可能である。この利用形態や変形例としては、例えば、次の（ａ）〜（ｃ）のようなものがある。
【００４５】
（ａ）  接触子４１−１〜４１−３における曲部４１−１ｂ〜４１−３ｂの形状は、略Ｌ字形に限定されず、半円形、楕円形等の他の湾曲形状に変更しても良く、これにより、実施例１と略同様の作用効果を奏することができる。
【００４６】
（ｂ）  接触子４１−１〜４１−３の数、全体形状、取り付け位置、配線構造等は、挿入されるプラグ本体１０の極数、形状、配線構造等に対応して、図示以外の構成に変更しても良い。例えば、接触子４１−１〜４１−３は１本、２本、４本等に変更しても良い。プラグ本体１０の導電部が図示以外の形状であっても、これに対応して接触子４１−１〜４１−３の全体形状を変更すれば、実施例１と略同様の作用効果を奏することができる。又、接触片４０は、必要が無ければ、削除しても良い。
【００４７】
（ｃ）  ジャック本体３０の形状、構造等は、図示以外のものに変更しても良い。例えば、プラグ挿入孔３５は、プラグ本体１０の形状、構造、配線構造等に対応して、断面が楕円形、角形、多角形等に変更しても良い。ジャック本体３０は、２分割構造の例を説明したが、３分割、４分割等の他の構造に変更しても良い。又、固定部材３４は、第１外周面３１及び第２外周面３２の全体を覆う構成に変更しても良い。
【符号の説明】
【００４８】
１      プラグ
１０      プラグ本体
２０      ジャック
３０      ジャック本体
３１，３２      第１、第２外周面
３３−１〜３３−３      収容溝
３３−１ａ〜３３−３ａ      開口部
３４      固定部材
３５      プラグ挿入孔
４１−１〜４１−３      接触子
４１−１ａ〜４１−３ａ      第１固定部
４１−１ｂ〜４１−３ｂ    曲部
４１−１ｃ〜４１−３ｃ    第２固定部
４１−１ｄ〜４１−３ｄ      端子部
【図１】
2015187930.tif 000003
【図２】
2015187930.tif 000004
【図３】
2015187930.tif 000005
【図４】
2015187930.tif 000006
【図５】
2015187930.tif 000007
【図６】
2015187930.tif 000008
【図７】
2015187930.tif 000009